(57)【要約】      （修正有）【課題】印鑑証明、住民票、宅配小荷物などの受け取りでサインまたは、印鑑が必要ですが、特に外出の時に忘れる場合が多いので、何時でも何処でも無理なく、しかも、外観形状は、印鑑ケースに見えず、おしゃれなストラップを着けた印鑑ケースを常時携帯できる印鑑ケースを提供する。【解決手段】外印鑑受筒２の一端に刻印面パーツ４に印字体３を嵌着した刻印面パーツ４を嵌着式で具備して、さらに、外印鑑受筒２の上端の円筒外周縁部に雌ネジ６を螺刻して、蓋５にも円筒内周縁部に雄ネジ７を螺刻する。また、底面部８に装着金具９を具備して、装着金具９にストラップ１０を装着する。また、ストラップ１０を着けた印鑑ケースと蓋５を装着した状態で電池の形状に近似させた外観形状からなり、また、前記のストラップ１０付き印鑑ケースに蓋５を装着した状態では印鑑とは異なる外観形状となったものである。【選択図】図１
2007152921.tif 000002
【特許請求の範囲】
【請求項１】
任意の刻印面をもつ印鑑を収納する外印鑑受筒と、前記刻印面を覆う蓋とからなる印鑑ケース。
【請求項２】
前記外印鑑受筒の一端にストラップを装着して成る請求項１に記載の印鑑ケース。
【発明の詳細な説明】
【技術分野】
【０００１】  本発明は、任意の印鑑本体と蓋を電池の型に近似させた外観形状からなり印鑑の底面部にストラップをつけられる装着金具を備えて、多孔性印材からなる印字体を下端に設けた刻印面を保護する為の蓋を設けたものである。さらに、携帯電話、バックなどに吊り下げるために一見して印鑑ケースと判明せず何時でも何処でも習慣で日常的に携帯が可能な印鑑ケースに関する。【０００２】  そして、印鑑ケースを陳列展示して販売システムは、刻印面パーツとストラップを着けた印鑑ケースを別々に陳列展示して、顧客様の苗字の指定した後に、外印鑑受筒に刻印面パーツを装着して販売する。陳列展示販売システムが可能な印鑑ケースに関する。
【背景技術】
【０００３】  従来の印鑑は、蓋開閉式の箱型ケース又は、巾着袋が一般的であり、また大事な実印、銀行印などは家庭で保管され、また、外出時に印鑑を携帯するときには、印鑑を収納したケース又は巾着袋をバックなどに入れて持ち歩くのが通常の使用形態である。【０００４】  従来の印鑑ケースでは、キャラクタ人形の頭部に吊下げ用の係止具を備えていて、さらに胴体の内部に印鑑と朱肉を備えているものもある（例えば、実用新案文献１参照。）。【０００５】
【特許文献１】  登録実用新案第０８２０１７号公報
【発明の開示】
【発明が解決しようとする課題】
【０００６】  以上に述べた従来の印鑑ケースの使用方法では、ケースから印鑑本体を出して内部の朱肉に接してから捺印するが、又、ケースの胴部と印鑑と胴下部分が分離させて使用するものであった。又、室内の目に付きやすい場所に係止して置いたりバック類のアクセサリーに用いていたが、持ち歩きには不便でまた、携帯にも不向きであった。
【課題を解決するための手段】
【０００７】  そして、本発明は上記目的を達成するために印鑑ケースを電池の形状に近似させた外観形状からなり外印鑑受筒の底面部にストラップをつけられる装着金具を備えて、刻印面パーツの印字体を保護する為の蓋を設けたものである。また、使用方法として外印鑑受筒の蓋を外してから書類などに押印する。そして日常では、本発明のストラップを着けた印鑑ケースを携帯電話、財布、バックなどに吊下げて常時携帯することを目的としてする。【０００８】  さらに、ストラップ付き印鑑ケースの注文販売、展示システムは、刻印面パーツとストラップを着けた印鑑ケースを別々に陳列展示して、顧客様の苗字を任意で指定してお買い上げ時に、外印鑑受筒に刻印面パーツ具備して完成商品にして販売する注文販売システムにすることを目的とするものである。
【発明の効果】
【０００９】  ストラップを着けた印鑑ケースの販売、展示システムは、刻印面パーツとストラップを着けた印鑑ケースを別々陳列して、顧客様の苗字を指定した後の販売時に、印鑑ケースに刻印面パーツを接着剤で装着してから、ストラップ付き印鑑ケースを販売するシステムにするので印鑑ケース内に印字体を嵌着した刻印面パーツが無いので万引き防止になる効果がある。【００１０】  しかも、従来の印鑑の展示方法とは異なり本発明のストラップを着けた印鑑ケースは少量の本数の在庫で済み、刻印面パーツの印字体の苗字の種別は千差万別なので本数が多くなるが、小型でしかも、刻印面パーツを箱型ケースに収納ができて、しかも、、箱型ケースは幾重にも積み重ねて展示すれば、印鑑ケースの展示スペースの面積が少なく済み、店主の満足度を一層高めることができるという更なる効果がある。【００１１】  本発明の印鑑ケースの刻印面パーツと印字体の材質は多孔性印材を使用しているため朱肉を捜す必要なく、しかも、印鑑を捜す時間の無駄を省き、携帯電話に吊下げて常時携帯しているので、玄関でも外出先でも携帯電話を常時携帯していれば直ちに印鑑ケースの蓋を外して宅配便の受取りや住民票や印鑑証明などの書類に何時でも何処でも必要な時に直ちに捺印することができる便利で更なる効果がある。【００１２】  特に貴重な実印や銀行印などの印鑑は、家庭内の金庫等に厳重に保管して、認印として認められる宅配便の受取りや住民票や印鑑証明などの書類専用には、本発明のストラップを着けた印鑑ケースを携帯電話に常時携帯していれば印鑑の携帯忘れ防止の効果がある。【００１３】  外出先用に携帯電話、ハンドバック、鞄などにストラップを介して印鑑ケースを装着すれば印鑑の携帯忘れ防止になり、しかも、外出先でも家庭内の玄関でも忘れないので、しかも、新たに買入れの必要性がなく、本数が増えず、便利で、経済的であるという更なる効果がある。【００１４】  そして、ストラップ付き印鑑ケースの外観形状が人形、コケシ、マジックインキ容器、缶容器、口紅容器、ボーリングのピン、バット、魚類、野菜類などの様様な外観形状に見えて、しかも、印鑑ケースには見えず印鑑の盗難に遭いがたく、印鑑を悪用される恐れも低く、しかも、デザインの種類も豊富で、小型であるから携帯に便利で、しかも、お洒落な感覚に見られるという効果がある。【００１５】  請求項１，２記載の発明の効果に加えて、顧客、店主の満足度を一層高めることができるという更なる効果を奏する。
【発明を実施するための最良の形態】
【００１６】  以下、本発明の実施の形態を図１〜図３に基ずいて説明する。【００１７】  請求項１の図においてはストラップ１０に装着した印鑑ケース１の本体を電池の形状に近似させた外観形状からなり、外印鑑受筒２の一端に刻印面パーツ４に印字体３を嵌着した刻印面パーツ４を嵌着式で具備して、さらに、外印鑑受筒２の上端の円筒外周縁部に雌ネジ部６を螺刻して、蓋５にも円筒内周縁部に雄ネジ部７を螺刻する。さらに、底面部８に装着金具９を具備して、装着金具９にストラップ１０を装着する。該印鑑ケース１は外印鑑受筒２と刻印面４と印字体３と蓋５は別々に形成して構成したことを特徴とする印鑑ケース。【００１８】  前記の請求項１記載の印鑑ケース１の底面部に装着金具９を形成して装着金具９にストトラップ１０を着けられる仕掛けにして構成にしたことを特徴とする印鑑ケース。【００１９】  前記記載の外印鑑受筒２と蓋５の着脱方法は、外印鑑受筒２の雌ネジ部６と蓋４の内側の雄ネジ部７が係着して蓋５が閉じられる方法が最適であるが、また、外印鑑受筒２の凸部と凹部が係着して蓋５が閉じられる方法でもよいが、上記の方法に限定されず任意形成で選べて、さらに、持ち歩きに於いても容易に外れない仕掛けであれば任意形成で選ぶことができる。【００２０】  請求項１記載の外印鑑受筒２と刻印面パーツ４の嵌着の方法は外印鑑受筒２に接着剤を使用して刻印面パーツ４を嵌着する方法が最適であるが、または、外印鑑受筒２の雌ネジ部６と刻印面パーツ４の雄ネジ部７が係着して刻印面パーツをが装着する方法でもよいが、上記の方法に限定されず任意形成で選べる、【００２１】  前記記載の刻印面パーツ４に印字体３の嵌着の方法は刻印面パーツ４に接着剤を使用して印字体を嵌着する方法が最適であるが、上記の方法に限定されず任意形成で選べる、【００２２】  請求項１記載の印鑑ケース１の材質は、従来印鑑の材質として使用されている材質であれば、金属材、天然石材、象牙材、合成樹脂材、木材などに限定されず任意で選ぶことができる。【００２３】  上記印鑑の、刻印面パーツ４の材質は多孔性印材が最適であるがインク吸蔵材、インク浸透材などに限定されず任意材質で選ぶことができる。【００２４】  上記の印字面３の印字の書体、または、デザインなどに限定されず任意で選ぶことができる。【００２５】  請求項１記載の印鑑ケース１の外観形状は電池の形状が最適であるが、印鑑ケース１の表面に彫刻を彫ってもよく、または、円筒形状、四角形状、三角形状、動物、印籠、植物、根付、人形、コケシなどのデザイン、外観形状は限定されず任意で選ぶことができる。【００２６】  請求項２記載のストラップを着けた印鑑ケース１を携帯電話に吊下げて携帯するための紐状のストラップ１０は、合成繊維製、天然繊維、金属製、ゴム製などの製品に限定されず任意で選ぶことができ、さらに、布状、編み物状、帯状、鎖状などの材質、形状に限定されず任意で選ぶことができ、さらに、紐の長さ、幅、厚みなどの長さ、幅、厚みの形状は限定されず任意で選ぶことができる。【００２７】  そして、本発明の印鑑ケース１にストラップ１０を介して吊下げる対象は携帯電話には限定されず、財布や鞄やハンドバックや車の鍵や玄関の鍵やベルトに吊り下げたり、また、背広のポケットやシャツの胸ポケットに入れて携帯したり任意で選ぶことができる印鑑ケースを提供する。【００２８】  ハンコ屋さん、みやげ物店などの、店内の陳列の展示方法は、ストラップを着けた印鑑ケースと刻印面パーツ４は別々に分けて陳列して展示すると、万引き、盗難などの災難を防止する効果を目的とする展示方法である。【００２９】  前記記載の刻印面パーツ４の店内での展示方法は、刻印面パーツ４専用の箱型ケースに展示する方法が最適であるが任意の展示方法でもよい。【００３０】  本発明の印鑑ケース１の店内販売システムは、ストラップと外印鑑受筒２と蓋５を別々に吊下げる展示方法にして、刻印面パーツ４と印字体３一体にして展示方法にする。そして、顧客様のが注文で、外印鑑受筒２と刻印面パーツ４を同一体に組み合わせてストラップを着けた印鑑ケースの完成商品として販売システムにすることを目的とするものであるが、上記の展示陳列販売システムは限定されず任意の展示陳列販売システムでもよい。【００３１】  また、印鑑ケースのデザインは電池の外観形状が最適であるが、下記の人形、コケシ、マジックインキ容器、缶容器、口紅容器、ボーリングのピン、バット、魚類、野菜類などに近似させた外観形状でもよく、様様なデザインの印鑑ケースを揃えて前記記載の刻印面パーツを装着して販売する。また、上記のデザインに限定せず任意のデザインでもよい。【００３２】  本発明のストラップを着けた印鑑ケースを販売する店は、ハンコ屋さんに限らず、特に行楽地の土産物店で土産用のキーホルダーとして販売すれば最適であるが販売する店は限定されない。
【図面の簡単な説明】
【００３３】
【図１】請求項１の印鑑ケース１の外観形状を示す斜視図である。
【図２】前記の外印鑑受筒２と刻印面パーツ４と蓋５の分離状態を示す斜視図である。
【図３】請求項１のＡーＡの断面図である。
【符号の説明】
【００３４】  １    印鑑ケース
２    外印鑑受筒
３    印字体
４    刻印面パーツ
５    蓋
６    雌ネジ部
７    雄ネジ部
８    底面部
９    装着金具
１０  ストラップ
【図１】
2007152921.tif 000003
【図２】
2007152921.tif 000004
【図３】
2007152921.tif 000005